(57)【要約】【課題】電力線や通信線などの架空ケーブルに野鳥が止まって閃絡や糞害等をもたらすのを防止する回転式鳥害防止器であって、製造コストを軽減するとともに、耐候性、耐久性等の品質が優れた製品を提供できるようにする。【解決手段】両端部の円弧状リム２ａ，２ｂと該両円弧状リムの間に適宜間隔を置いて平行に架される複数本の棒状部３ａ，３ｂ，４ａ，４ｂとを一体のプラスチック成形体１として成形し、この一対のプラスチック成形体を互いの円弧状リムの内周側が架空ケーブル１５を間にして向かい合うように配置して該プラスチック成形体どうしを合着することにより該架空ケーブルの外周に回転自在に取り付けられるようにした。【選択図】図１
2006180818.tif 000002
【特許請求の範囲】
【請求項１】
両端部の円弧状リムと該両円弧状リムの間に適宜間隔を置いて平行に架される複数本の棒状部とを一体のプラスチック成形体として成形してなることを特徴とする回転式鳥害防止器。
【請求項２】
一対のプラスチック成形体を互いの円弧状リムの内周側が架空ケーブルを間にして向かい合うように配置して該プラスチック成形体どうしを合着することにより該架空ケーブルの外周に回転自在に取り付けられるようにしたことを特徴とする請求項１に記載した回転式鳥害防止器。
【請求項３】
一方の円弧状リムに一体に雄型カップリングを形成するとともに、他方の円弧状リムに一体に雌型カップリングを形成したことを特徴とする請求項１または２に記載の回転式鳥害防止器。
【請求項４】
高密度ポリエチレンによりプラスチック成形体を成形した請求項１〜３のいずれかに記載の回転式鳥害防止器。
【請求項５】
プラスチック成形体の各棒状部の長手方向の略中間部に１乃至は複数の補強用の円弧状リムを該各棒状部と一体に成形した請求項１〜４のいずれかに記載の回転式鳥害防止器。
【請求項６】
棒状部は断面係数の大きい横断面Ｌ字状に成形したものである請求項１〜５のいずれかに記載の回転式鳥害防止器。
【請求項７】
棒状部は断面係数の大きい横断面略Ｔ字状に成形したものである請求項１〜６のいずれかに記載の回転式鳥害防止器。
【発明の詳細な説明】
【技術分野】
【０００１】
本発明は電力線や通信線などの架空ケーブル（ワイヤー）に野鳥が止まって閃絡や糞害等をもたらすのを防止する回転式鳥害防止器に関するものである。
【背景技術】
【０００２】
本発明者の発明に係る下記特許文献１，２に記載された鳥害防止器は、中央に透孔を設けてなる左右一対の支持体と、この支持体の周縁沿いに互いに間隔を置いて配置され、両端部を該支持体に夫々止着してなる複数本の棒材とから籠状の回転体を形成し、電線等の架空ケーブルを該支持体の透孔に貫挿することにより該回転体を回転自在なるようにし、カラス等の野鳥が棒材に止まろうとすると、その野鳥の体重で該回転体が回転して止まれないようになり、鳥害を有効に防止できるものである。
【特許文献１】特公平４−７７５２９号公報
【特許文献２】特公平５−８６１２５号公報
【０００３】
そして上記棒材は、多数本の長いガラス繊維を不飽和ポリエステル等の熱硬化性樹脂をバインダーとして固めるとともに、その表面に耐候性に優れたポリエチレンを被覆してなるものが、剛性，靭性、および電気絶縁性があって撓みが少ない等観点から上記回転式鳥害防止器を構成する棒材として最適のものであった。また、上記支持体はＡＢＳ系等の合成樹脂により成形されたものであった。
【発明の開示】
【発明が解決しようとする課題】
【０００４】
ところで、この回転式鳥害防止器を組み立てるに際しては、棒材の被覆であるポリエチレンもバインダーのポリエステルも接着性が悪いため、支持体に強固に接合することが困難であった。そこで、従来では電線の被覆を剥がすのに使用されている電線ストリッパーによって棒材の両端部の被覆を剥がすとともに、ガラス繊維表面のバインダーとしての樹脂と接着剤との濡れ性を向上させるために表面を研磨していた。このため、組み立てが煩雑であり、製造コストが掛かるという問題がある他、下記（１）〜（６）に示したような問題があった。
【０００５】
（１）棒材を研磨加工することによってガラス繊維が傷付くおそれがあるので、状態が悪いものでは一定期間経過後に破損するおそれがある。
（２）棒材の両端部にポリエチレン被覆されない部分ができ、バインダーで固められたガラス繊維が露出するおそれがあるので、紫外線や風雨により劣化し易く、短期間で破損するおそれがある。
（３）接着剤との化学反応により棒材側および支持体側の樹脂が溶かされるので、物性が低下し、棒材および支持体の強度が損なわれる。また、本来、接着性のよい材料は、紫外線による劣化や雨水による加水分解が起き易く、いわゆる耐候性がよくないので、数年で割れが発生し、落下するおそれがある。
（４）接着剤の充填が不完全であるとその隙間から雨水が浸入し、接着剤を劣化させ、棒材が脱落するおそれがある。特に寒冷地では侵入した雨水が凍結し膨脹するため、短期間で接着部を破断させるおそれがあった。
（５）また、鳥害防止器を架空ケーブルに長手方向に多数を連結して設けると、各鳥害防止器の棒両端の接合部に荷重が掛かり破断するおそれがあるので、連結可能な数は２０本程度が限度となり、多くを連結できない。
（６）高所にある架空ケーブルに設けられた破損した鳥害防止器を交換することは容易でないので、上記のように鳥害防止器の耐久性が悪いことが要因でメンテナンスコストを増大させる。
【課題を解決するための手段】
【０００６】
本発明は上記のような課題を解決しようとするもので、請求項１に記載の回転式鳥害防止器は、両端部の円弧状リムと該両円弧状リムの間に適宜間隔を置いて平行に架される複数本の棒状部とを一体のプラスチック成形体として成形してなることを特徴とする。
また請求項２に記載の発明は、上記請求項１に記載の回転式鳥害防止器において、一対のプラスチック成形体を互いの円弧状リムの内周側が架空ケーブルを間にして向かい合うように配置して該プラスチック成形体どうしを合着することにより該架空ケーブルの外周に回転自在に取り付けられるようにしたことを特徴とする。
このため、棒材を研磨する等の煩雑な加工を要さず、品質の安定した回転式鳥害防止器を簡単に構成できる。
【０００７】
また請求項３に記載の発明は、上記請求項１または２に記載の回転式鳥害防止器において、一方の円弧状リムに一体に雄型カップリングを形成するとともに、他方の円弧状リムに一体に雌型カップリングを形成したことを特徴とする。
このため、多数の回転式鳥害防止器を連結可能となる。
【０００８】
また請求項４に記載の発明は、上記請求項１〜３のいずれかに記載の回転式鳥害防止器において、高密度ポリエチレンによりプラスチック成形体を成形したことを特徴とする。
このため、架空ケーブルとの摩擦抵抗を小さくでき摺動性がよくなることから、野鳥の僅かな体重によっても回転し得る性能を得ることができると同時に、強度，剛性が向上する。
【０００９】
また請求項５に記載の発明は、上記請求項１〜４のいずれかに記載の回転式鳥害防止器において、プラスチック成形体の各棒状部の長手方向の略中間部に１乃至は複数の補強用の円弧状リムを該各棒状部と一体に成形したことを特徴とする。
このため、各棒状部の野鳥が止まったときの撓み、或いは経年変化による撓みが防止され、耐候性、耐久性が優れる。
【００１０】
また請求項６に記載の発明は、上記請求項１〜５のいずれかに記載の回転式鳥害防止器において、棒状部は断面係数の大きい横断面Ｌ字状に成形したものであることを特徴とする。
また請求項７に記載の発明は、上記請求項１〜６のいずれかに記載の回転式鳥害防止器において、棒状部は断面係数の大きい横断面Ｔ字状に成形したものであることを特徴とする。
このため、各棒状部の野鳥が止まったときの撓み、或いは経年変化による撓みが防止され、耐候性、耐久性が優れる。
【発明の効果】
【００１１】
射出成形により一体に成形された一対のプラスチック成形体を合着するだけで簡単に取り付けられ、品質の安定した回転式鳥害防止器を低コストで提供できるようになる。また、耐候性、耐久性にも優れメンテナンスコストも軽減される。
【実施例１】
【００１２】
次に本発明に係る回転式鳥害防止器の実施例を図面とともに説明する。図１は本発明に係る回転式鳥害防止器を構成する一対の同形のプラスチック成形体の斜視図、図２はその側面図、図３はＡ−Ａ線断面図、図４はＢ−Ｂ線断面図である。このプラスチック成形体１は、高密度ポリエチレンを材料とし射出成形金型により一体に成形されるもので、両端部に円弧状（半円弧状）リム２ａ，２ｂが配され、該円弧状リム２ａ，２ｂの間に４本の棒状部３ａ，３ｂ，４ａ，４ｂが夫々適宜間隔（３０度間隔）を置いて平行に架され、さらに各棒状部の長手方向の略中間部に補強用の円弧状（半円弧状）リム５が該各棒状部と一体に成形されている。なお、棒状部３ａ，３ｂは、円弧状リム２ａ，２ｂおよび円弧状リム５の各端面から半径方向に延びるステー部６ａ，６ｂの先端に該ステー部と面一なるように形成され、その断面形状は図４に示されるように略Ｌ字状とすることでその断面係数が大きくなるようにしている。また、棒状部４ａ，４ｂは円弧状リム２ａ，２ｂおよび円弧状リム５の外周面より外方に平行に延設されたステー部７ａ，７ｂの先端に一体に形成され、その断面形状を略Ｔ字状とすることで断面係数が大きくなるようにしている。
【００１３】
また、一方の円弧状リム２ａは側方に延設されその端縁に雄型カップリングとなる外向鍔８を一体に形成すると共に、内向鍔９を形成している。また、他方の円弧状リム２ｂには内向鍔１０を形成すると共に、該円弧状リム２ｂの側面に雌型カップリングとなる鉤状の内向鍔１１を一体に形成している。なお、これらの各成形部分は射出成形時にいわゆるアンダーカット機構を用いた複雑な金型を要することなく成形できるように左右２方向に型抜き可能な形状としている。また、円弧状リム５の内周面にも一体に内向鍔１２が形成されている、
【００１４】
また、１３ａは一方のステー部６ａの内面側に突設された先太形状の係合用突起、１３ｂは他方のステー部６ｂの内面側に形成された係合孔で、該係合孔には放射状に切目が形成されている。また、１４ａは該係合用突起１３ａと隣接するように突設された位置決用突起、１４ｂは該係合孔１３ｂと隣接するように形成された位置決孔である。
【００１５】
このように一体に成形されたプラスチック成形体１は、その一対を互いの円弧状リム２ａ，２ｂの内周側が架空ケーブルを間にして向かい合うように配置し、図５〜図８に示したように、位置決用突起１４ａを位置決孔１４ｂに嵌合し、係合用突起１３ａを係合孔１３ｂに嵌合し合着させる。このとき先太形状の係合用突起１３ａは係合孔１３ｂを上記切目から弾性的に拡張させ、先太部が通過してから復元することからこの合着状態が維持される。そして円弧状リム２ａ，２ｂおよび円弧状リム５は架空ケーブル１５の外周を囲う環状になり、該架空ケーブル１５に対し回転自在に取り付けられる。なおこの合着により棒状部３ａ，３ｂは互いに相対するプラスチック成形体の棒状部と合着し機能的には１本の棒状となる。
【００１６】
このように構成した鳥害防止器では、棒状部３ａ，３ｂまたは棒状部４ａ，４ｂに野鳥が止まろうとするとその鳥の体重が掛かることにより回転トルクが生じ回転することからその鳥は止まれなくなる。このため、架空ケーブル下に多くの野鳥の糞が堆積する害、或いは野鳥の飛来によって閃絡事故が起きること等を防止することができる。
【００１７】
なお、棒状部３ａ，３ｂ，４ａ，４ｂは横断面の形状を略Ｔ字状や略Ｌ字状等の断面係数の大きい形状にしたことにより剛性が高められ、野鳥が止まったときの撓み、或いは経年変化による撓みを可及的に少なくすることができることから、耐久性を向上させる。また、円弧状リム５を形成したことによっても棒状部３ａ，３ｂ，４ａ，４ｂの撓みが防止され、耐候性、耐久性が向上する。さらには該各棒状部の長手方向にこのような円弧状リムを適宜間隔で複数設けることにより撓みをさらに効果的に防止し得る。
【００１８】
また、図９に示したように、架空ケーブル１５に先に取り付けられた鳥害防止器の外向鍔８に対し、後で取り付ける鳥害防止器の内向鍔１１が被さるようにし、この雄型カップリングと雌型カップリングとを係合させることで、架空ケーブル１５上に多数の鳥害防止器を夫々回転自在なるように連結することができる。
【００１９】
また、架空ケーブル１５の外周面に対して前記内向溝８，９，１２が接することから接触面積を小さくできるとともに、該プラスチック成形体１を高密度ポリエチレンにより一体成形することで、架空ケーブルとの摺動摩擦抵抗を一層小さくすることができることから、野鳥の僅かな体重によっても回転する性能が得られる。また、高密度ポリエチレンにより成形することで該プラスチック成形体１の強度，剛性を向上させ、送電線など長径間にこの鳥害防止器を多数連結状に設けても破損し難い頑強なものとなり得る。
【００２０】
このように本発明では、一体に成形された一対のプラスチック成形体を架空ケーブルを間にして合着するだけで回転式鳥害防止器が構成されるので、従来のように棒の被覆を剥ぎ取ったり研磨する等の煩雑な加工を要さず、ガラス繊維を傷付けたりガラス繊維が表面に露出させるようなおそれもない。このため製造が容易となりコストが大幅に軽減されるとともに、高品質な製品を安定して提供できるようになる。また、従来のように棒材の両端部から雨水を浸入させるようなおそれもないので、耐候性、耐久性が優れメンテナンスも容易となる。
【図面の簡単な説明】
【００２１】
【図１】本発明の実施例を示す回転式鳥害防止器の斜視図。
【図２】図１の回転式鳥害防止器の側面図。
【図３】図１の回転式鳥害防止器のＡ−Ａ線断面図。
【図４】図１の回転式鳥害防止器のＢ−Ｂ線断面図。
【図５】本発明に係る回転式鳥害防止器の取り付け状態を示した斜視図。
【図６】図５の回転式鳥害防止器の側面図。
【図７】図５の回転式鳥害防止器のＡ−Ａ線断面図。
【図８】図５の回転式鳥害防止器のＢ−Ｂ線断面図。
【図９】本発明に係る回転式鳥害防止器の連結状態を示した縦断面図。
【符号の説明】
【００２２】
１                        プラスチック成形体
２ａ，２ｂ                円弧状リム
３ａ，３ｂ，４ａ，４ｂ    棒状部
５                        円弧状リム
６ａ，６ｂ，７ａ，７ｂ    ステー部
８                        外向鍔（雄型カップリング）
９，１０，１２            内向鍔
１１                      内向鍔（雌型カップリング）
１３ａ                    係合用突起
１３ｂ                    係合孔
１５                      架空ケーブル
【図１】
2006180818.tif 000003
【図２】
2006180818.tif 000004
【図３】
2006180818.tif 000005
【図４】
2006180818.tif 000006
【図５】
2006180818.tif 000007
【図６】
2006180818.tif 000008
【図７】
2006180818.tif 000009
【図８】
2006180818.tif 000010
【図９】
2006180818.tif 000011